(57)【要約】【課題】複数のフィンに形成される挿通孔に、複数のヒートパイプを容易に挿通させることができる熱交換器を提供する。【解決手段】熱交換器１は、積層方向Ｚに間隔をあけて積層される複数のフィン３と、積層方向に沿って複数のフィン３に挿通して設けられる複数のヒートパイプ２と、を含み、各フィンには、ヒートパイプがそれぞれ挿通する挿通孔５が形成され、隣接する挿通孔５間を結ぶ隣接仮想線Ｌに交差する交差部分１０を有し、下流端部７がフィン３の下流側外縁部８にて開放し、上流端部９が閉塞するスリットが形成される。【選択図】図１
2009216350.tif 000002
【特許請求の範囲】
【請求項１】
外気が流通する空間に設けられる熱交換器であって、
外気が流通する流通方向（Ｒ）に略直交する積層方向（Ｚ）に間隔をあけて積層される平板状の複数のフィン（３）と、
内部を冷媒が流れ、前記積層方向に沿って複数の前記フィンに挿通して設けられる複数の伝熱管（２）と、を含み、
前記各フィンには、
前記各伝熱管がそれぞれ挿通される挿通孔（５）と、
スリット（６）とが形成され、
前記スリットは、隣接する前記挿通孔間を結ぶ仮想線（Ｌ）に交差する交差部分（１０）を有し、前記交差部分の下流側の端部（７）が前記フィンの前記下流側の外縁部（８）にて開放し、前記交差部分の前記流通方向の上流側の端部（９）が閉塞することを特徴とする熱交換器。
【請求項２】
前記スリットの幅は、前記上流側の端部より前記下流側の端部が大きいことを特徴とする請求項１に記載の熱交換器。
【請求項３】
前記スリットは、前記流通方向に交差する方向に延びることを特徴とする請求項１または２に記載の熱交換器。
【請求項４】
前記スリットは、交差部分と下流側の端部との間に位置する中間部分（１４）を有し、
前記中間部分の幅は、交差部分の幅および下流側の端部の幅より大きいことを特徴とする請求項１〜３のいずれか１つに記載の熱交換器。
【発明の詳細な説明】
【技術分野】
【０００１】
本発明は、積層される複数のプレートフィンに伝熱管が挿通されて構成される熱交換器に関する。
【背景技術】
【０００２】
従来技術として、複数のプレートフィンが厚み方向に積層され、その厚み方向に沿って複数の伝熱管が挿通されて構成される熱交換器が開示されている（たとえば特許文献１参照）。このような熱交換器の製造工程では、先ずプレートフィンに伝熱管が挿通する挿通孔が２列にわたって複数形成され、さらに挿通孔の列の間に、挿通孔の列に沿って延びるスリットが形成される。次に製造工程では、プレートフィンの挿通孔に伝熱管を挿通し、プレートフィンをスリットに沿って分離して、１列ずつの伝熱管が挿通された熱交換器を２つ製造する。
【特許文献１】特開２００６−１１０６９４号公報
【発明の開示】
【発明が解決しようとする課題】
【０００３】
前述の従来技術の熱交換器を製造する場合、プレートフィンにおいて各挿通孔が形成される位置の寸法精度が低いときには、各プレートフィンの積層方向に対応する挿通孔の位置がずれてしまい伝熱管の挿入性が低下するという問題がある。
【０００４】
そこで、本発明は前述の問題点を鑑みてなされたものであり、複数のフィンに形成される挿通孔に、複数の伝熱管を容易に挿通させることができる熱交換器を提供することを目的とする。
【課題を解決するための手段】
【０００５】
本発明は前述の目的を達成するために以下の技術的手段を採用する。
【０００６】
本発明は、外気が流通する空間に設けられる熱交換器であって、
外気が流通する流通方向（Ｒ）に略直交する積層方向（Ｚ）に間隔をあけて積層される平板状の複数のフィン（３）と、
内部を冷媒が流れ、積層方向に沿って複数のフィンに挿通して設けられる複数の伝熱管（２）と、を含み、
各フィンには、
各伝熱管がそれぞれ挿通される挿通孔（５）と、
スリット（６）とが形成され、
スリットは、隣接する挿通孔間を結ぶ仮想線（Ｌ）に交差する交差部分（１０）を有し、交差部分の下流側の端部（７）がフィンの下流側の外縁部（８）にて開放し、交差部分の流通方向の上流側の端部（９）が閉塞することを特徴とする熱交換器である。
【０００７】
本発明に従えば、フィンに形成されるスリットは、交差部分を有するので、隣接する挿通孔はスリットによって相対的な変位が許容される。換言すると隣接する挿通孔間に交差部分があるので、交差部分によって挿通孔間の部分が容易に変形することができる。これによって積層される複数のフィンの対応する挿通孔に伝熱管を挿入するときに、多少の寸法誤差があったとしても、挿通孔の位置を変位させて伝熱管が挿入することができる。これによって伝熱管の挿入性を向上することができる。
【０００８】
またスリットは、下流側の端部がフィンの下流側の端部にて開放する。外気は、フィンの上流側の部分を通過しながら伝熱管内の冷媒と熱交換されるので、下流側の部分では上流側の部分と比較して外気が暖められており、流速も遅いため熱交換の効果は劣るが、本発明ではそのような部分にスリットを設けているので、スリットを上流側に形成する場合よりも熱交換性が低下することを抑制することができる。またスリットを下流側にて開放するので、外気の風抜けがよくなり、下流側の対流を防ぐことができ、また熱交換性の高い上流側の流速が高まり放熱性能を向上することができる。従来の技術のフィンにもスリットが形成されているが、スリットは分離するために形成されるので、熱交換器を製造後にはスリットは熱交換性能にはなんら寄与しない。
【０００９】
本発明では、スリットが前述したような構成であるので、伝熱管の挿入性を向上することがき、かつ放熱性を向上することができ、これら２つの効果を同時に達成することができる。
【００１０】
また本発明は、スリットの幅は、上流側の端部より下流側の端部が大きいことを特徴とする。
【００１１】
本発明に従えば、スリットの幅は、上流側の端部から下流側の端部に向かって大きくなるので、外気の風抜けがさらによくなる。したがって熱交換性をさらに向上することができる。
【００１２】
また本発明は、スリットは、流通方向に交差する方向に延びることを特徴とする。
【００１３】
本発明に従えば、スリットは、流通方向に交差する方向に延びるので、挿通孔間を結ぶ仮想線が流通方向に沿っている場合であっても、スリットを形成することができる。このような流通方向に交差するスリットであって、前述の２つの効果を達成することができる。
【００１４】
また本発明は、スリットは、交差部分と下流側の端部との間に位置する中間部分（１４）を有し、
中間部分の幅は、交差部分の幅および下流側の端部の幅より大きいことを特徴とする。
【００１５】
本発明に従えば、スリットは幅が大きい中間部分を有する。このような幅が大きい中間部分を有するので、中間部分に積層方向に沿って工具などを挿入することによって、フィンを積層方向に投影した領域にて作業などをすることができる。
【００１６】
なお、前述の各手段の括弧内の符号は、後述する実施形態に記載の具体的手段との対応関係を示す一例である。
【発明を実施するための最良の形態】
【００１７】
以下、図面を参照しながら本発明を実施するための形態を、複数の形態について説明する。各形態で先行する形態で説明している事項に対応している部分には同一の参照符を付し、重複する説明を略する場合がある。構成の一部のみを説明している場合、構成の他の部分は、先行して説明している形態と同様とする。実施の各形態で具体的に説明している部分の組合せばかりではなく、特に組合せに支障が生じなければ、実施の形態同士を部分的に組合せることも可能である。
【００１８】
（第１実施形態）
本発明の第１実施形態を図１〜図４を用いて説明する。図１は、本実施の形態の熱交換器１を示す平面図である。図２は、図１の切断面線ＩＩ−ＩＩから見て示す熱交換器１の断面図である。熱交換器１は、冷媒と外気とを熱交換させるための機器である。本実施の形態の熱交換器１は、冷却装置として機能し、冷却対象物（図示せず）の冷却に用いられる。冷却対象物は、たとえば液晶表示装置および処理装置などの電子装置、ならびにモータなどの駆動装置である。熱交換器１は、外気が冷却風として予め定める流通方向Ｒの下流側に向かって流れる設置空間に設けられる。設置空間は、たとえば送風手段の下流側の空間、および車両の走行風が発生する車両の前方側の空間である。熱交換器１は、複数のヒートパイプ２、複数のフィン３および台座４を含む。
【００１９】
各フィン３は、ヒートパイプ２に接触して設けられ、ヒートパイプ２の熱を放熱する放熱手段として機能する。各フィン３は、予め定める長手方向Ｙに沿って延びる平板状に形成される。長手方向Ｙは、流通方向Ｒに略直交（用語「略直交」は直交を含む）する方向である。フィン３は、流通方向Ｒに略直交する積層方向Ｚに間隔をあけて積層される。積層方向Ｚは、平板状のフィン３の厚み方向に略平行（用語「略平行」は平行を含む）である。したがってフィン３は、それぞれの厚み方向が互いに略平行であって、厚み方向に離間して設けられる。積層方向Ｚに隣接する各フィン３間の空間は、外気が流れる通路を形成する。各フィン３には、複数のヒートパイプ２、本実施の形態では３本のヒートパイプ２が積層方向Ｚに貫通する挿通孔５が形成される。フィン３は、伝熱性に優れる材料、たとえば、銅、アルミニウムおよびアルミニウム合金から成る。
【００２０】
各フィン３の積層方向Ｚは、好ましくは鉛直方向と略平行となるように選択される。また各フィン３は、冷却対象物より上方側となるように配置される。これによって各フィン３から放熱される熱によって加熱される周囲空気がフィン３の上方から抜け易くなる。したがってフィン３自体および冷却対象物が空気の対流を妨げることを抑制できるので、効果的にフィン３から冷却対象物にて発生した熱を放熱することができる。
【００２１】
各ヒートパイプ２は、伝熱に優れた熱伝導率の高い伝熱管として機能する。各ヒートパイプ２は、たとえば銅および銅合金からなるパイプ（図示せず）と、パイプの内部空間に収容される作動流体（図示せず）とを含む。各ヒートパイプ２は、内部が真空状態となるように真空引きされた後に作動媒体としての冷媒が所定量封入される。作動媒体としては、たとえば水、アルコール、フロロカーボン、およびフロンを用いることができる。
【００２２】
ヒートパイプ２は、一端部である下端部に冷却対象物にて発生した熱が伝わると、ヒートパイプ２内の水が蒸発し、水蒸気となる。その水蒸気は、ヒートパイプ２内で上方に移動し、つまり、水蒸気が、フィン３が固定されている部位に移動し、フィン３にて冷却対象物の熱が放熱される。フィン３での放熱によって水蒸気が冷やされるとそれが凝縮して水に戻り、再び下方に移動する。下方に移動した水が再度ヒートパイプ２に伝えられた熱によって蒸発させられる。このように冷却対象物にて発生した熱は、水蒸気を媒体とし、フィン３まで移動するので、短時間で熱をフィン３に伝達させることができる。
【００２３】
各ヒートパイプ２は、断面形状が円状に形成され、全体として円管状に形成される。各ヒートパイプ２の軸線方向一方側は、フィン３の挿通孔５に挿通される。したがって各ヒートパイプ２の軸線は、積層方向Ｚに略平行となる。またヒートパイプ２の軸線方向他方側は、台座４に挿通される。各ヒートパイプ２は、軸線方向が略平行であり、半径方向に離間して配置される。各ヒートパイプ２の軸線方向他方側は、冷却対象物の熱が伝達するように構成される。各ヒートパイプ２は、たとえば冷却対象物に接触するように設けられ、または、台座４と冷却対象物とが一体である場合、台座４に接触するように設けられる。
【００２４】
次に、各フィン３と各ヒートパイプ２との接触部分に関して説明する。各フィン３に形成される挿通孔５の開口縁には、たとえばバーリング加工によって挿通孔５を形成すると同時に起立片（図示せず）を形成する。起立片は先端側に向けて、挿通孔５の内側に傾斜するように形成される。このような挿通孔５にヒートパイプ２を挿通し、起立片の先端側を押し広げることで、起立片とヒートパイプ２とが密着し、密着性が確保される。フィン３とヒートパイプ２とが密着するので、ヒートパイプ２の熱がフィン３に伝わる。また挿通孔５に挿通されるヒートパイプ２を起立片に密着させて、両者間をろう付けしてろう材によってさらに固定してもよい。また両者をろう付けする場合、ヒートパイプ２を高温に曝す必要があるので、ヒートパイプ２の内圧の上昇による変形などを避けるため、ろう付け後にヒートパイプ２に作動媒体の封入を行ってもよい。
【００２５】
台座４は、各ヒートパイプ２を固定するための固定手段である。台座４は、冷却対象物と一体または近接するように設けられる。台座４は、前述のように配置されるヒートパイプ２の軸線方向他方側をたとえば溶接などによって固定する。したがって台座４は、ヒートパイプ２が軸線方向および半径方向に変位しないように、ヒートパイプ２を固定する。台座４は、伝熱性に優れる材料、たとえば銅、アルミニウムおよびアルミニウム合金から成る。
【００２６】
次に、図１を参照して、各プレートフィン３の形状に関して、さらに詳細に説明する。フィン３には、幅方向Ｘの中央付近であって、長手方向Ｙに並ぶように３つの挿通孔５が形成される。幅方向Ｘは、長手方向Ｙおよび積層方向Ｚに直交する方向である。挿通孔５は、ヒートパイプ２の断面形状に対応するように円状に形成される。挿通孔５の内径は、ヒートパイプ２が変形することなく挿通できるように形成される。フィン３の長手方向Ｙは、流通方向Ｒに略直交となるようにフィン３が設置空間に配置される。したがってフィン３の幅方向Ｘは、流通方向Ｒと略平行となる。
【００２７】
フィン３には、さらにスリット６が複数形成され、本実施の形態では２つ形成される。各スリット６は、変形許容部として機能し、隣接する挿通孔５が互いに変位可能となるように形成される。また各スリット６は、放熱促進部として機能し、隣接するフィン３間を通過する空気の流速および流量が大きくなるように形成される。各スリット６は、隣接する挿通孔５間にそれぞれ形成される。各スリット６は、流通方向Ｒ下流側の端部（以下、「下流端部」ということがある）７がフィン３の流通方向Ｒ下流側の外縁部（以下、「下流側外縁部」ということがある）８にて開放し、流通方向Ｒ上流側の端部（以下、「上流端部」ということがある）９が閉塞する。また各スリット６は、隣接する挿通孔５間を結ぶ仮想線（以下、単に「隣接仮想線」ということがある）Ｌに交差する交差部分１０を有する。換言すると、各スリット６は、上流端部９が隣接仮想線Ｌより流通方向Ｒ上流側に突き出て、かつフィン３の下流側外縁部８まで延びる。さらに上流端部９と下流端部７と間には、交差部分１０が含まれる。各スリット６は、帯状に形成され、上流端部９が隣接仮想線Ｌより幅方向Ｘ一方側に位置する。各スリット６は、幅方向Ｘに沿って延びる。
【００２８】
次に、本実施の形態のフィン３と比較例のフィン１１との冷却性能の比較に関して説明する。図３は、本実施の形態のフィン３の放熱量に関するシミュレーション結果を簡略化して示す平面図である。図４は、比較例のフィン１１の放熱量に関するシミュレーション結果を簡略化して示す平面図である。比較例のフィン１１は、図４に示すようにフィン３にスリット６を形成せずに、挿通孔５だけ形成している構成である。図３および図４では、３本のヒートパイプ２にフィン３を複数枚積層し、積層方向Ｚ中央付近に位置するフィン３の放熱量に関するシミュレーションの結果を示している。図３および図４にて、斜線を施して示す領域Ｓ１は放熱量が最も低い領域であり、横縞を施して示す領域Ｓ２は放熱量が２番目に低い領域であり、無地の領域Ｓ３は放熱量が最も高い領域である。図４に示すように、フィン３の下流側には上流側と比較して温かい風が当たり、流速およびフィン３の間隔等の条件によっては、下流側のフィン３が伝熱にほとんど寄与しない斜線の領域Ｓ１が多く存在する。
【００２９】
図３および図４を比較すると、本実施の形態のフィン３は、比較例のフィン１１より無地の領域Ｓ３が大きく、斜線の領域Ｓ１が小さい。比較例のフィン１１の斜線の領域Ｓ１、換言すると放熱への寄与が極めて低い領域に、スリット６を形成することによって、単純にフィン３の面積が小さくなるが、その分、風抜けが良くなる。風抜けがよくなるので、隣接するフィン３間を通過する空気の流量および流速が大きくなる。これによって本実施の形態のフィン３では、比較例のフィン１１より斜線の領域Ｓ１が小さくなる。したがってスリット６を形成することによって、冷却性能が向上することが解る。
【００３０】
以上説明したように本実施の形態の熱交換器１は、冷却対象物の熱は複数のヒートパイプ２を介して複数のフィン３に伝わり、複数のフィン３によって放熱される。したがって冷却対象物は冷却される。
【００３１】
本実施の形態では、各フィン３には、スリット６が形成される。スリット６は、隣接仮想線Ｌに交差する交差部分１０を有するので、隣接する挿通孔５はスリット６によって相対的な変位が許容される。換言すると隣接する挿通孔５間に交差部分１０があるので、交差部分１０によって挿通孔５間の周囲の部分が容易に変形することができる。これによって積層される複数のフィン３の対応する挿通孔５にヒートパイプ２を挿入するときに、多少の寸法誤差があったとしても、挿通孔５の位置を変位させてヒートパイプ２を挿入することができる。これによってヒートパイプ２の挿入性を向上することができる。
【００３２】
また本実施の形態では、挿通孔５はバーリング加工によって形成され、ヒートパイプ２が圧入されるように構成される。このようにヒートパイプ２を挿通孔５に圧入するので、挿通孔５の寸法誤差による位置ずれがある場合、およびヒートパイプ２が湾曲している場合、ヒートパイプ２を圧入することが困難であり、これを無理に行った場合フィンに積層方向Ｚの撓み等が発生し、伝熱性能に悪影響を及ぼすが、本実施の形態ではスリット６が形成されるので、挿通孔５の位置を多少変位させることができる。これによって複数積層されるフィン３であっても、積層方向Ｚに対応する挿通孔５にヒートパイプ２を容易に圧入することができる。
【００３３】
またスリット６は、下流端部７がフィン３の下流側外縁部８にて開放する。外気は、フィン３の上流側の部分を通過しながらヒートパイプ２内の冷媒と熱交換されるので、図３および図４に示すように下流側の部分では上流側の部分と比較して外気が暖められており、流速も遅いため熱交換の効果は劣るが、本実施の形態ではそのような部分にスリット６を設けているので、スリット６を上流側に形成する場合よりも熱交換性が低下することを抑制することができる。またスリット６を下流側にて開放するので、外気の風抜けがよくなり、下流側の対流を防ぐことができ、また熱交換性の高い上流側の流速が高まり放熱性能を向上することができる。
【００３４】
本実施の形態では、スリット６が前述したような構成であるので、ヒートパイプ２の挿入性を向上することがき、かつ放熱性を向上することができ、これら２つの効果を同時に達成することができる。
【００３５】
また本実施の形態では、各フィン３にはスリット６が形成されフィン３自体の強度は低下するが、挿通孔５にヒートパイプ２が挿入された後は、フィン３は複数のヒートパイプ２によって保持される。したがって熱交換器１を構成した後、フィン３に不所望な外力が作用してスリット６に応力が集中してスリット６からフィン３が損傷するようなことはヒートパイプ２によって防止される。
【００３６】
（第２実施形態）
次に、本発明の第２の実施形態に関して、図５を用いて説明する。本実施の形態では、フィン３Ａに形成されるスリット６Ａの形状に特徴を有する。図５は、本実施の形態のフィン３Ａを示す平面図である。フィン３Ａに形成されるスリット６Ａの幅は、上流端部９から下流端部７に向かって大きくなるように形成される。換言するとスリット６Ａの幅は、上流端部９から下流端部７に向かって、長手方向Ｙの寸法が大きくなるように形成される。したがってスリット６Ａは、下流側に向かって広がる形状である。スリット６Ａは、二等辺三角形状に形成され、その頂点が上流端部９となる。
【００３７】
このような本実施の形態では、スリット６Ａの幅は、上流端部９から下流端部７に向かって大きくなる。これによって前述の図４を用いて説明したように、放熱に寄与しない下流側に幅の大きいスリット６Ａを形成するので、外気の風抜けがさらによくなる。したがって熱交換性をさらに向上することができる。
【００３８】
また本実施の形態では、スリット６Ａは二等辺三角形状であるので、その頂点である上流端部９が変位の起点となり、隣接する挿通孔５の位置を変位させやすい。したがってヒートパイプ２の挿入性をさらに向上することができる。またスリット６Ａは、二等辺三角形状であるので、２つの切り込みを形成するだけで、本実施の形態のスリット６Ａが形成でき、形成が容易である。
【００３９】
（第３実施形態）
次に、本発明の第３の実施形態に関して、図６を用いて説明する。本実施の形態では、フィン３Ｂに形成されるスリット６Ｂの形状に特徴を有する。図６は、本実施の形態のフィン３Ｂを示す平面図である。フィン３Ｂに形成されるスリット６Ｂの幅は、上流端部９から下流端部７に向かって大きくなるように形成される。スリット６Ｂは、幅が小さい交差部分１０Ｂと、幅が大きい残余の部分１２とを有する。換言するとスリット６Ｂは、上流端部９の幅が下流端部７の幅より小さい。スリット６Ｂの幅は、上流端部９から下流端部７に向かって、段階的に大きくなる。
【００４０】
このような本実施の形態では、スリット６Ｂの幅は、上流端部９から下流端部７に向かって大きくなるので、前述した第２実施形態と同様の作用および効果を有する。
【００４１】
（第４実施形態）
次に、本発明の第４の実施形態に関して、図７を用いて説明する。本実施の形態では、フィン３Ｃの配置方向およびスリット６Ｃの形状に特徴を有する。図７は、本実施の形態のフィン３Ｃを示す平面図である。フィン３Ｃは、長手方向Ｙが流通方向Ｒと略平行となるように配置される。したがって３つの挿通孔５は、流通方向Ｒに並ぶように配置される。
【００４２】
スリット６Ｃは、隣接仮想線Ｌと交差する交差部分１０を有し、上流端部９から下流端部７に向かって、流通方向Ｒ下流側に傾斜するように延びる。したがってスリット６Ｃの上流端部９は、下流端部７より流通方向Ｒ上流側に位置する。換言すると、スリット６Ｃの延びる方向は、流通方向Ｒに交差し、流通方向Ｒ下流側に向かっている。
【００４３】
またスリット６Ｃの幅は、上流端部９から下流端部７に向かって大きくなるように形成される。したがってスリット６Ｃは、下流側に向かって広がる形状である。スリット６Ｃは、二等辺三角形状に形成され、その頂点が上流端部９となる。
【００４４】
このような本実施の形態では、スリット６Ｃは、交差部分１０を有するので前述の各実施形態と同様に作用および効果を達成し、ヒートパイプ２の挿入性を向上させることができる。またスリット６Ｃは、下流端部７がフィン３Ｃの下流側外縁部８にて開放するので前述の各実施形態と同様に作用および効果を達成し、放熱性能を向上することができる。
【００４５】
（第５実施形態）
次に、本発明の第５の実施形態に関して、図８を用いて説明する。本実施の形態では、フィン３Ｄの形状におよびスリット６Ｄａ，６Ｄｂの形状に特徴を有する。図８は、本実施の形態のフィン３Ｄを示す平面図である。フィン３Ｄは、略円板状であって、同心円状の貫通孔１３が形成される点に特徴を有する。したがってフィン３Ｄは、ドーナッツ状に形成される。
【００４６】
貫通孔１３は、厚み方向に貫通し、たとえば冷却対象物を配置可能な空間を形成する。挿通孔５は、同心円状に等間隔に複数形成され、本実施の形態では４つ形成される。フィン３Ｄの半径方向と、外気の流通方向Ｒとは略平行となるように配置される。
【００４７】
スリット６Ｄａ，６Ｄｂは、隣接する挿通孔５間にそれぞれ形成され、４つ形成される。上流側に位置するスリット（以下、「上流側のスリット」ということがある）６Ｄａと下流側に位置するスリット（以下、「下流側のスリット」ということがある）６Ｄｂとは、形状が異なる。上流側に位置する２つのスリット６Ｄａは、互いに略同一の形状であり、下流側に位置する２つのスリット６Ｄｂは、互いに略同一の形状である。
【００４８】
４つのスリット６Ｄａ，６Ｄｂは、それぞれ隣接仮想線Ｌと交差する交差部分１０を有し、上流端部９から下流端部７に向かって、流通方向Ｒ下流側に傾斜するように延びる。したがって各スリット６Ｄａ，６Ｄｂの上流端部９は、下流端部７より流通方向Ｒ上流側に位置する。換言すると、各スリット６Ｄａ，６Ｄｂの延びる方向は、流通方向Ｒ下流側に向かっている。
【００４９】
上流側のスリット６Ｄａの幅は、前述の第４実施形態と同様に、上流端部９から下流端部７に向かって大きくなるように形成される。したがって上流側のスリット６Ｄａは、下流側に向かって広がる形状である。スリット６Ｄは、二等辺三角形状に形成され、その頂点が上流端部９となる。
【００５０】
下流側のスリット６Ｄｂは、交差部分１０と下流端部７との間に位置する中間部分１４をさらに有する。下流側のスリット６Ｄｂは、幅が最も小さい交差部分１０と、幅が最も大きい中間部分１４と、幅が２番目に大きい下流側部分１５とを有する。換言するとスリット６Ｄｂは、交差部分１０の幅が下流側部分１５の幅より小さく、中間部分１４の幅が最も大きい。このような中間部分１４は、他の部材の配置、および工具の挿入などに用いられる。
【００５１】
このように本実施の形態では、フィン３Ｄはドーナッツ状に形成されるので、貫通孔１３の配置空間に他の部材を配置することができる。また下流側のスリット６Ｄｂには、中間部分１４が形成されるので、このような中間部分１４を用いて工具を挿入することによって、台座４などフィン３Ｄの積層によって隠れる部分にてねじ止めなどの所望の作業をすることができる。
【００５２】
また本実施の形態では、各スリット６Ｄａ，６Ｄｂは、交差部分１０を有するので前述の各実施形態と同様に作用および効果を達成し、ヒートパイプ２の挿入性を向上させることができる。また各スリット６Ｄａ，６Ｄｂは、下流端部７がフィン３Ｄの下流側外縁部８にて開放するので前述の各実施形態と同様に作用および効果を達成し、放熱性能を向上することができる。
【００５３】
（その他の実施形態）
以上、本発明の好ましい実施形態について説明したが、本発明は上述した実施形態に何ら制限されることなく、本発明の主旨を逸脱しない範囲において種々変形して実施することが可能である。
【００５４】
前述の実施の各形態では、伝熱管はヒートパイプ２によって実現されているが、このような密閉空間に冷媒が封入される構成に限ることはなく、内部に冷媒を通過する冷媒通路を形成する構成であればよい。したがって前述の実施の各形態では熱交換器１を冷却装置として用いた場合を説明したが、このような用途に限ることはなく、ヒートポンプサイクルに使用される蒸発器に適用してもよく、ラジエータ、コンデンサ、ヒータコアなど、種々の熱交換器に適用することができる。
【００５５】
また前述の第１〜第４実施形態では、フィン３に形成される挿通孔５は、１列に３つであったが、このような配置に限ることはなく、２列であってもよく、いわゆる千鳥状に互いに違いに配置してもよい。
【００５６】
また前述の実施の各形態では、隣接仮想線Ｌは隣接する挿通孔の中心を結ぶ仮想線であった、これに限るものではなく、隣接する挿通孔の内方空間を直線で結ぶ仮想線であればよい。換言すると、隣接仮想線は、挿通孔に挿通される挿通物同士をフィンの表面に沿って結ぶ直線であればよい。
【００５７】
またスリット６の形状は、前述の各実施形態の形状に限るものではなく、部分的に屈曲するクランク状およびＬ字状であってもよく、複数のスリット６が合流するＹ字状などの樹木状であってもよくよい。また挿通孔が２列など複数列の場合は、各挿通孔５間にスリット６の交差部分１０が形成されるように、たとえばＴ字状、Ｘ字状、およびこれらの組み合わせなどであってもよい。またスリット６は、隣接する挿通孔５間に１つに限らず、複数形成してもよい。またスリット６は、全ての隣接する挿通孔５間に形成する必要が無く、必要に応じて、たとえば成形上寸法誤差が生じやすいような位置に形成してもよい。
【００５８】
また前述の実施の各形態では、フィンおよび台座は、アルミニウムおよびアルミニウム合金から成るが、このような金属材料に限ることはなく、金属以外の他の材料であってもよい。また伝熱管も同様に、アルミニウムおよびアルミニウム合金、銅、およびその他金属以外の材料でもよい。
【図面の簡単な説明】
【００５９】
【図１】第１実施形態の熱交換器１を示す平面図である。
【図２】図１の切断面線ＩＩ−ＩＩから見て示す熱交換器１の断面図である。
【図３】第１実施形態のフィン３の放熱量に関するシミュレーション結果を簡略化して示す平面図である。
【図４】比較例のフィン１１の放熱量に関するシミュレーション結果を簡略化して示す平面図である。
【図５】第２実施形態のフィン３Ａを示す平面図である。
【図６】第３実施形態のフィン３Ｂを示す平面図である。
【図７】第４実施形態のフィン３Ｃを示す平面図である。
【図８】第５実施形態のフィン３Ｄを示す平面図である。
【符号の説明】
【００６０】
１…熱交換器
２…ヒートパイプ（伝熱管）
３，３Ａ，３Ｂ，３Ｃ，３Ｄ…フィン
４…台座
５…挿通孔
６…スリット
７…スリットの下流端部
８…フィンの下流側外縁部
９…スリットの上流端部
１０…交差部分
１４…中間部分
【図１】
2009216350.tif 000003
【図２】
2009216350.tif 000004
【図３】
2009216350.tif 000005
【図４】
2009216350.tif 000006
【図５】
2009216350.tif 000007
【図６】
2009216350.tif 000008
【図７】
2009216350.tif 000009
【図８】
2009216350.tif 000010